(57)【要約】【課題】不要なゲート信号が走査線に出力されるのを的確に禁止し画面の乱れを防止し、合わせて、無駄な電力消費を抑制することができる。【解決手段】出力禁止回路１２１と、外部垂直同期信号に位相同期して、自走する内部垂直同期信号を発生する垂直同期ロック手段２０４と、内部垂直同期信号を用いて、外部垂直同期信号を期間的に含む窓信号を得る窓信号発生回路２０３と、窓信号の期間内に前記外部垂直同期信号が存在するかどうかを検出し、検出信号を得る検出回路２０２と、検出信号が所定期間内に複数個存在し、所定の条件を満足するかどうかを判定し、満足していない場合には、出力禁止回路２１２を制御して、ゲート信号出力を禁止する判定回路２０５を有する。【選択図】    図１
2006098923.tif 000002
【特許請求の範囲】
【請求項１】
表示領域に２次元配列された画素群と、
前記画素群の各行に配線された走査線群と、
前記走査線群の各走査線を走査期間単位で選択するゲートドライブ回路と、
前記画素群の各列に配線された信号線群と、
前記信号線群に走査期間単位で信号を出力するソースドライブ回路と、
前記走査線群の各走査線と前記信号線群の各信号線との各交差部に位置する画素に対して、前記走査線からの選択信号に応答して、前記信号線からの信号を与えるための画素スイッチ回路とを有した平面型表示装置において、
前記ゲートドライブ回路に設けられ、ゲート信号の出力を禁止する出力禁止回路と、
外部から入力する外部垂直同期信号に位相同期して、自走する内部垂直同期信号を発生する垂直同期ロック手段と、
前記垂直同期とロック手段から出力される内部垂直同期信号を用いて、前記外部垂直同期信号を期間的に含む窓信号を得る窓信号発生回路と、
前記窓信号の期間内に前記外部垂直同期信号が存在するかどうかを検出し、検出信号を得る検出手段と、
前記検出信号が所定期間内に複数個存在し、所定の条件を満足するかどうかを判定し、満足していない場合には、前記出力禁止回路を制御して、ゲート信号出力を禁止する判定手段と
を具備したことを特徴とする平面型表示装置。
【請求項２】
前記判定手段と、前記出力禁止回路との間には、選択回路が設けられており、この選択回路を介して、前記出力禁止回路に強制的なゲート信号出力禁止信号を与えるようにしたことを特徴とする請求項１記載の平面型表示装置。
【発明の詳細な説明】
【技術分野】
【０００１】
この発明は、液晶表示装置、プラズマ表示装置、電子放出型表示装置、有機ELを用いた表示装置などの平面型表示装置に関するものであり、特に走査線に出力されるゲート信号の制御手段を改良したものである。
【背景技術】
【０００２】
液晶表示装置の走査線にゲート信号を出力するゲートドライブ回路には、ゲート信号がむやみに出力されるのを禁止するゲート禁止回路が設けられている。装置の電源がオンされたとき、表示装置の動作が安定するまでには、時間がかかる。その間、もし、表示領域の走査線にゲート信号が出力されると、表示領域で不要な発光が生じるし、また画面としても不安定な乱れた状態が生じる。このような現象を防止するために、従来は、電源オン時には、一定期間ゲート信号が出力されるのを禁止している（例えば、特許文献１を参照）。
【特許文献１】特開平１１−１１９７４７号公報
【発明の開示】
【発明が解決しようとする課題】
【０００３】
しかしながら、上記のゲート信号が不用意に出力される期間が電源オン時の他にも存在する。例えば、入力切換時、チャンネル切換時などである。このような場合は、現在の映像信号が有する垂直同期信号と新しく入力する映像信号が有する垂直同期信号とが非同期となる。この結果、不用意にゲート信号が出力されて、画像が乱れてしまうことがある。つまり、ゲートドライブ回路内で途中の走査線まで転送されていたゲート信号出力データが、チャンネル切換或いは入力切換後も続けて転送され、残りの走査線にゲート信号が次々と出力される。このときはソースドライブ回路からの信号入力は存在しないために、画面上は画像乱れが現れる。
【０００４】
また不用意なゲート信号が出力されることは、それだけ無駄に電力が消費されていることであり、消費電力を低減する上からも好ましくない。
【０００５】
そこで、この発明の目的とするところは、不要なゲート信号が走査線に出力されるのを的確に禁止し画面の乱れを防止し、合わせて、無駄な電力消費を抑制することができる平面型表示装置を提供することにある。
【課題を解決するための手段】
【０００６】
この発明の一実施の形態は、上記の目的を達成するために、表示領域に２次元配列された画素群と、前記画素群の各行に配線された走査線群と、前記走査線群の各走査線を走査期間単位で選択するゲートドライブ回路と、前記画素群の各列に配線された信号線群と、前記信号線群に走査期間単位で信号を出力するソースドライブ回路と、前記走査線群の各走査線と前記信号線群の各信号線との各交差部に位置する画素に対して、前記走査線からの選択信号に応答して、前記信号線からの信号を、与えるための画素スイッチ回路とを有した平面型表示装置において、前記ゲートドライブ回路に設けられ、ゲート信号の出力を禁止することができる出力禁止回路と、外部から入力する外部垂直同期信号に位相同期して、自走する内部垂直同期信号を発生する垂直同期ロック手段と、前記垂直同期とロック手段から出力される内部垂直同期信号を用いて、前記外部垂直同期信号を期間的に含む窓信号を得る窓信号発生回路と、前記窓信号の期間内に前記外部垂直同期信号が存在するかどうかを検出し、検出信号を得る検出手段と、前記検出信号が所定期間内に複数個存在し、所定の条件を満足するかどうかを判定し、満足していない場合には、前記出力禁止回路を制御して、ゲート信号出力を禁止する判定手段を具備した。
【発明の効果】
【０００７】
上記の手段により、不要なゲート信号を出力して画像乱れを生じることがなくなる。また電力消費を低減できる。
【発明を実施するための最良の形態】
【０００８】
以下図面を参照して、この発明の実施の形態を説明する。
【０００９】
図１において、１００は液晶パネルであり、この液晶パネル１００のガラス基板１０５上には表示領域１１０が構築されている。表示領域１１０には、行方向に赤（R)、緑（G)、青（B)用の画素が繰り返し配列されている。そして複数の行が設けられており画素群を成している。さらに、画素群の各行には走査線L1,L2,L3,…が配線され、走査線群を構成している。さらに前記画素群の各列には信号線S1,S2,S3…が配線され、信号線群を構成している。
【００１０】
また配線基板（図示せず）には、走査線群の各走査線を走査期間単位で選択するゲートドライブ回路１２０、信号線群に走査期間単位で信号を出力するソースドライブ回路１３０が設けられている。
【００１１】
また表示領域１１０内には、走査線群の各走査線と信号線群の各信号線との各交差部に位置する画素に対して、走査線からの選択信号に応答して、信号線からの信号を与えるための画素スイッチ回路が設けられている。一部拡大図に示すように、符号１４０、１４１で示す部分が画素スイッチ回路を構成している。
【００１２】
ゲートドライブ回路１２０には、タイミング信号として水平同期信号H、垂直同期信号Voが供給されている。ソースドライブ回路１３０には、データを転送するためのクロック及び水平同期信号H、及びデータが供給されている。
【００１３】
さらにゲートドライブ回路１２０の出力側には、出力禁止回路１２１が設けられている。この出力禁止回路１２１は、例えば電源が投入された直後から一定期間ゲート信号が出力するのを禁止する回路として機能している。電源投入検出信号は端子１２２から与えられる。
【００１４】
さらに上記出力禁止回路１２１は、これから説明する特徴的な回路によって制御され、不要なゲート信号が走査線に出力されるのを的確に禁止し画面の乱れを防止し、合わせて、無駄な電力消費を抑制することができる。
【００１５】
出力禁止回路１２１には、禁止信号発生回路２００からゲート禁止信号が与えられる。この禁止信号発生回路２００は、垂直同期信号Voが、連続して正確な位相に存在するかどうかを監視している。垂直同期信号Voの同期が乱れたときは、チャンネルの切換時、或いは外部入力の切換時と判断する。そして、入力する垂直同期信号Voが連続して安定しており、一定の位相に存在することが確認されるまで、ゲート信号の出力を禁止する。ゲート信号の出力を禁止するために、ゲート禁止信号が出力される。
【００１６】
監視方法は、以下のような手段で実行される。垂直同期信号Voは、垂直同期基準信号発生回路２０１と、垂直同期ロック回路２０４に入力される。垂直同期基準信号発生回路２０１は、入力した垂直同期信号Voを波形整形して出力する。この垂直同期信号Voは、検出回路２０２に入力される。
【００１７】
一方、垂直同期ロック回路２０４は、ヒステリシス特性を有し、入力した垂直同期信号Voに位相ロックしたパルスを発生する。このパルスは、垂直同期信号Voの数倍或いは数十倍の周波数である。この垂直同期ロック回路２０４は、デジタル位相ロックループ回路が用いられており、自走発振し、上記パルスを出力し、このパルスを分周することで、上記の垂直同期信号Voに位相ロックした、内部垂直同期信号Viを発生することができる。この内部垂直同期信号Viは、窓信号発生回路２０３に供給される。
【００１８】
この窓信号発生回路２０３は、内部垂直同期信号Viによりリセットされるカウンタを有し、内部垂直同期信号Vi（垂直同期信号Vo)をカバーする窓信号を発生する。この窓信号は、先の検出回路２０２に入力される。
【００１９】
検出回路２０２は、窓信号内に、垂直同期信号Voが存在するときは、検出信号を出力し、判定回路２０５に与える。判定回路２０５は、検出信号が、所定時間内に所定数得られた場合、或いは連続して所定数得られた場合には、垂直同期信号Voが正常に連続していると判断する。しかし、検出信号が、所定時間内に所定数得られなくなった場合、或いは不連続が所定期間続いた場合には、ゲート禁止信号を出力し、ゲートドライブ回路１２０の出力禁止回路１２１を制御する。  
これにより、入力切換時、チャンネル切換時など、現在の映像信号が有する垂直同期信号と新しく入力する映像信号が有する垂直同期信号とが非同期になったとき、不用意にゲート信号が出力されるのを防止することができる。これにより、画像乱れがない。また不用意なゲート信号が出力されることで無駄に電力消費を行うような時間をなくすることができる。
【００２０】
選択回路２０６は、操作信号入力端子２１１と、ゲート禁止信号入力端子２１２を有する。操作信号入力端子２１１のレベルを切換えることにより、選択回路２０６は、判定回路２０５の出力又は入力端子２１２の信号のいずれかを選択することができる。
【００２１】
したがって、ユーザが例えば強制的にゲート禁止信号を出力禁止回路１２１に供給したい場合には、操作信号入力端子２１１の操作信号レベルを切換えることで、強制的にゲート禁止信号を出力することができる。また、画像を強制的に見えなくする場合にも、入力端子２１１を利用することができる。
【００２２】
図２には、上記した窓信号と、垂直同期信号Voの関係を示している。ゲートドライブ回路１２０は、通常は、垂直同期信号Voに同期してスタートパルスを発生し、ゲート信号による走査が開始されるようになっている。スタートパルスが出力された後は、1水平期間分の信号がソースドライブ回路１３０から、１水平期間毎に信号線に出力される。
【００２３】
図３には、垂直同期ロック回路２０４の構成例を示している。垂直同期信号Voと、内部で発生された内部垂直同期信号Viとは、比較器３０１において、位相比較される。その位相差情報は、低域通過フィルタ（LPF)にて直流変化分として出力され、電圧制御発振器（VCO）３０３の制御端子に供給される。VCO３０３は、制御端子に与えら得る電圧に応じて、発振周波数が変化する。VCO303の出力信号は、分周器３０４で分周され、垂直周期のパルス、つまり先の内部垂直同期信号Viとして出力される。したがって、外部垂直同期パルスVoの位相がずれると、その位相に合わさるように、内部垂直同期信号Viの位相が制御される。
【００２４】
内部垂直同期信号Viは、窓信号発生回路２０３に入力される。窓信号発生回路２０３は、内部垂直同期信号Viに同期してカウンタを動作させ、カウンタ出力を用いて、先の窓信号を出力する。
【００２５】
図４（A)には、先の判定回路２０５の一例を示している。この判定回路２０５は、シフトレレジスタ４０１と、多数決回路４０２で構成されている。シフトレジスタ４０１は、検出回路２０２から出力された検出パルスを内部垂直同期パルスのタイミングでシフトする。シフトレジスタ４０１に接続された多数決回路４０２は、シフトレジスタを構成する複数の遅延素子の各出力状態を監視する。そして４個の出力のうち３個までが例えば論理”１”であれば、垂直同期信号が窓信号内に存在しているものと多数決判定した判定出力を得る。
【００２６】
図４（B)の回路は、シフトレジスタ４１１と、連続検出回路４１２で構成された判定回路２０５の例である。ここでは、シフトレジスタを構成する複数の遅延素子の各出力状態を監視し、連続した遅延素子の出力の３個までが例えば論理”１”であれば、垂直同期信号が窓信号内に存在しているものと判定した判定出力を得る。
【００２７】
図４（C)の回路は、検出信号をカウンタ４２１でカウントするものである。カウンタ４２１は、数垂直周期毎（例えば１０）にリセットされる。このカウンタ４２１の値が、比較器４２２において、閾値４２３と比較され、この閾値４２３を超えているようであれば、垂直同期信号が窓信号内に存在しているものと判定した判定出力を得る。なお判定回路の構成としては各種の実施形態が可能である。
【００２８】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００２９】
【図１】この発明が適用された平面型表示装置の構成を示す説明図。
【図２】図１の禁止信号発生回路２００の動作を説明するために示した信号波形図。
【図３】図１の垂直同期ロック回路２０４の構成例を示す図。
【図４】図１の判定回路２０５の各種の実施形態の構成例を示す図。
【符号の説明】
【００３０】
１１０…表示領域、１２０…ゲートドライブ回路、1２１…出力禁止回路、１３０…ソースドライブ回路、２００…禁止信号発生回路。
【図１】
2006098923.tif 000003
【図２】
2006098923.tif 000004
【図３】
2006098923.tif 000005
【図４】
2006098923.tif 000006